(57)【要約】【課題】受信側の回線交換網が規制された場合でも、現在位置を通知すること。【解決手段】  セル報知センタは、回線交換網が規制されている規制情報を生成する生成部と、該規制情報を送信する送信部とを有し、生成部は、規制情報を受信した移動機により選択される、該移動機の状況を登録する際にアクセスすべきアドレスを含む規制情報を生成し、移動機は、規制情報を受信する受信部と、該規制情報に含まれるアドレスが選択された際に、安否状況情報を生成する作成部と、サーバに、安否状況情報を送信する送信部とを有し、サーバは、移動機により送信される安否状況情報を受信する受信部と、該安否状況情報に含まれるユーザの位置情報、安否状況とを含む安否状況メッセージを作成する作成部と、該安否状況情報に含まれるユーザの識別子に基づいて、安否状況メッセージの宛先を設定する設定部と、該宛先に対応する移動機に、安否状況メッセージを送信する送信部とを有する。【選択図】図１
2013005282.tif 000002
【特許請求の範囲】
【請求項１】
移動機から他の移動機へ所定のメッセージを通知する無線通信システムであって、
前記移動機の在圏するセルの回線交換網が規制されていることを表す規制情報を生成する規制情報生成部と、
該規制情報生成部により生成されるべき規制情報を送信する規制情報送信部と
を有し、
前記規制情報生成部は、規制情報を受信した移動機により選択されるべき、該移動機の状況を登録する際にアクセスすべきアドレスを含む規制情報を生成する、セル報知センタと、
前記セル報知センタにより送信されるべき規制情報を受信する規制情報受信部と、
該規制情報受信部に受信されるべき規制情報に含まれるべきアドレスが選択された際に、移動機の識別子と、該移動機の位置情報と、該移動機の安否状況とを含む安否状況情報を生成する安否状況情報作成部と、
ファイルサーバに、前記安否状況情報作成部により作成されるべき安否状況情報を送信する安否状況情報送信部と
を有する移動機と、
前記移動機により送信されるべき安否状況情報を受信する安否状況情報受信部と、
該安否状況情報受信部に受信されるべき安否状況情報に含まれるべきユーザの位置情報と、該ユーザの安否状況とを含む安否状況メッセージを作成する安否状況メッセージ作成部と、
該安否状況情報受信部に受信されるべき安否状況情報に含まれるべきユーザの識別子に基づいて、前記安否状況メッセージ作成部により作成されるべき安否状況メッセージの宛先を設定する宛先設定部と、
前記宛先設定部により設定されるべき宛先に対応する他の移動機に、前記安否状況メッセージ作成部により作成されるべき安否状況メッセージを送信する安否状況メッセージ送信部と
を有する、ファイルサーバと
を有する、無線通信システム。
【請求項２】
請求項１に記載の無線通信システムにおいて、
安否状況情報送信部は、回線交換網又はパケット交換網を利用して、前記安否状況情報を送信する、無線通信システム。
【請求項３】
請求項１または２に記載の無線通信システムにおいて、
前記規制情報生成部は、前記移動機の状況に応じて選択されるべき、複数のアドレスを含む規制情報を生成し、
前記安否状況情報作成部は、前記規制情報受信部に受信されるべき規制情報に含まれるべき複数のアドレスのうち、選択されたアドレスに応じて、該移動機のユーザの安否状況を含む安否状況情報を生成する、無線通信システム。
【請求項４】
請求項１ないし３のいずれか１項に記載の無線通信システムにおいて、
前記安否状況メッセージ送信部により前記安否メッセージが送信される際に利用される手段には、電子メール、ショートメッセージサービスが含まれる、無線通信システム。
【請求項５】
請求項１ないし４のいずれか１項に記載の無線通信システムにおいて、
前記移動機は、
当該移動機と、前記安否状況メッセージを通知すべき移動機を表す情報とを対応付けたテーブル
を有し、
前記宛先設定部は、前記テーブルを参照し、前記安否状況情報受信部に受信されるべき安否状況情報に含まれるべきユーザの識別子に対応する移動機を宛先として設定する、無線通信システム。
【請求項６】
移動機から他の移動機へ所定のメッセージを通知するメッセージ通知方法であって、
セル報知センタは、
前記移動機の在圏するセルの回線交換網が規制されていることを表す規制情報を生成する規制情報生成ステップと、
該規制情報生成ステップにより生成されるべき規制情報を送信する規制情報送信ステップと
を有し、
前記規制情報生成ステップでは、規制情報を受信した移動機により選択されるべき、該移動機の状況を登録する際にアクセスすべきアドレスを含む規制情報を生成し、
移動機は、
前記セル報知センタにより送信されるべき規制情報を受信する規制情報受信ステップと、
該規制情報受信ステップに受信されるべき規制情報に含まれるべきアドレスが選択された際に、移動機の識別子と、該移動機の位置情報と、該移動機の安否状況とを含む安否状況情報を生成する安否状況情報作成ステップと、
ファイルサーバに、前記安否状況情報作成ステップにより作成されるべき安否状況情報を送信する安否状況情報送信ステップと
を有し、
前記ファイルサーバは、
前記移動機により送信されるべき安否状況情報を受信する安否状況情報受信ステップと、
該安否状況情報受信ステップに受信されるべき安否状況情報に含まれるべきユーザの位置情報と、該ユーザの安否状況とを含む安否状況メッセージを作成する安否状況メッセージ作成ステップと、
該安否状況情報受信ステップに受信されるべき安否状況情報に含まれるべきユーザの識別子に基づいて、前記安否状況メッセージ作成ステップにより作成されるべき安否状況メッセージの宛先を設定する宛先設定ステップと、
前記宛先設定ステップにより設定されるべき宛先に対応する他の移動機に、前記安否状況メッセージ作成ステップにより作成されるべき安否状況メッセージを送信する安否状況メッセージ送信ステップと
を有する、メッセージ通知方法。
【発明の詳細な説明】
【技術分野】
【０００１】
本発明は、無線通信システムに関する。
【背景技術】
【０００２】
地震などの大規模な災害が発生した時には、災害の復旧活動にあたる行政や防災機関などに加えて、多くのユーザが被災地への安否確認などに音声電話を利用する。このとき、通常時と比べて多量のトラフィックがネットワークで処理されることになる。多量のトラフィックがネットワークで処理されることにより、通信がつながりにくい状態となる。通信がつながりにくい状態となるため、通信を規制することにより、トラヒックのネットワークコントロールが実施される。
【０００３】
移動通信ネットワークには、回線交換（ＣＳ：Ｃｉｒｃｕｉｔ  Ｓｗｉｔｃｈｉｎｇ）呼を処理するネットワークと、パケット交換（ＰＳ：Ｐａｃｋｅｔ  Ｓｗｉｔｃｈｉｎｇ）呼を処理するネットワークとが含まれる。
【０００４】
しかし、ＣＳ呼とＰＳ呼のネットワークコントロールが、３ＧＰＰ（３ｒｄ  Ｇｅｎｅｒａｔｉｏｎ  Ｐａｒｔｎｅｒｓｈｉｐ  Ｐｒｏｊｅｃｔ）標準仕様で独立に制御できないように規定されているため、ＰＳ呼のトラヒック量が少ない状況のときでも、音声電話などのＣＳ呼の規制率にしたがってＰＳ呼が必要以上に規制されていた。
【０００５】
そこで、３ＧＰＰ標準仕様に、ＣＳとＰＳのネットワークコントロールを独立に行う機能を追加することが行われた（例えば、非特許文献１参照）。
【先行技術文献】
【非特許文献】
【０００６】
【非特許文献１】野口勝広、金内正臣、河端剛史、藤村広太  「FOMAアクセス規制の回線交換／パケット交換分離機能」、ＮＴＴ  ＤｏＣｏＭｏテクニカル・ジャーナルＶｏｌ．１４  Ｎｏ．４  ２００７年１月
【発明の概要】
【発明が解決しようとする課題】
【０００７】
上記のように、大規模な災害が発生した時には、音声電話が利用されることが多いため、ＣＳ呼に対してアクセス規制が実行されることが多いと想定される。
【０００８】
ＣＳ呼に対してアクセス規制が実行された場合でも、災害用伝言板などを利用することにより、安否を確認できる。しかし、災害用伝言板などを利用するには複雑な操作が要求される。例えば、メッセージを登録する操作や、メッセージを登録したことを通知する操作が必要とされる。また、安否を確認したい人の電話番号を入力する操作が必要とされる。このような操作は、リテラシの高いユーザにとっては容易であるが、リテラシの低いユーザにとっては困難である。
【０００９】
さらに、発信者にとっては、災害用伝言板によりメッセージを伝えることができなくても、発信者の現在位置だけでも伝えたい要求がある。また、着信者にとっては、災害用伝言板にメッセージが残されていなくても、何処にいるのかだけでも知りたいという要求がある。
【００１０】
本発明は、上述した点に鑑みてなされたものであり、発信側の回線交換網にアクセス規制が実施された場合でも、容易に、現在位置と安否情報とを通知できる技術を提供することを目的とする。
【課題を解決するための手段】
【００１１】
上記の課題を解決するために、本無線通信システムは、
移動機から他の移動機へ所定のメッセージを通知する無線通信システムであって、
前記移動機の在圏するセルの回線交換網が規制されていることを表す規制情報を生成する規制情報生成部と、
該規制情報生成部により生成されるべき規制情報を送信する規制情報送信部と
を有し、
前記規制情報生成部は、規制情報を受信した移動機により選択されるべき、該移動機の状況を登録する際にアクセスすべきアドレスを含む規制情報を生成する、セル報知センタと、
前記セル報知センタにより送信されるべき規制情報を受信する規制情報受信部と、
該規制情報受信部に受信されるべき規制情報に含まれるべきアドレスが選択された際に、移動機の識別子と、該移動機の位置情報と、該移動機の安否状況とを含む安否状況情報を生成する安否状況情報作成部と、
ファイルサーバに、前記安否状況情報作成部により作成されるべき安否状況情報を送信する安否状況情報送信部と
を有する移動機と、
前記移動機により送信されるべき安否状況情報を受信する安否状況情報受信部と、
該安否状況情報受信部に受信されるべき安否状況情報に含まれるべきユーザの位置情報と、該ユーザの安否状況とを含む安否状況メッセージを作成する安否状況メッセージ作成部と、
該安否状況情報受信部に受信されるべき安否状況情報に含まれるべきユーザの識別子に基づいて、前記安否状況メッセージ作成部により作成されるべき安否状況メッセージの宛先を設定する宛先設定部と、
前記宛先設定部により設定されるべき宛先に対応する他の移動機に、前記安否状況メッセージ作成部により作成されるべき安否状況メッセージを送信する安否状況メッセージ送信部と
を有する、ファイルサーバと
を有する、無線通信システムとして達成される。
【００１２】
前記安否状況情報送信部は、例えば、回線交換網又はパケット交換網を利用して、前記安否状況情報を送信するように構成してもよい。
【００１３】
前記規制情報生成部は、例えば、前記移動機の状況に応じて選択されるべき、複数のアドレスを含む規制情報を生成し、前記安否状況情報作成部は、例えば、前記規制情報受信部に受信されるべき規制情報に含まれるべき複数のアドレスのうち、選択されたアドレスに応じて、該移動機のユーザの安否状況を含む安否状況情報を生成するように構成してもよい。
【００１４】
前記安否状況メッセージ送信部により前記安否メッセージが送信される際に利用される手段には、例えば、電子メール、ショートメッセージサービスが含まれるように構成してもよい。
【００１５】
前記移動機は、例えば、当該移動機と、前記安否状況メッセージを通知すべき移動機を表す情報とを対応付けたテーブルを有し、前記宛先設定部は、前記テーブルを参照し、前記安否状況情報受信部に受信されるべき安否状況情報に含まれるべきユーザの識別子に対応する移動機を宛先として設定するように構成してもよい。
【００１６】
また、上記無線通信しテムが実行するメッセージ通知方法として構成することもできる。
【発明の効果】
【００１７】
開示の無線通信システムによれば、発信側の回線交換網にアクセス規制が実施された場合でも、容易に、現在位置と安否情報とを通知できる。
【図面の簡単な説明】
【００１８】
【図１】無線通信システムの概要を示す図である。
【図２】無線通信システムの一実施例を示す機能ブロック図である。
【図３】セル報知センタの一実施例を示す機能ブロック図である。
【図４】ファイルサーバの一実施例を示す機能ブロック図である。
【図５】安否状況メッセージ通知移動機選択テーブルの一実施例を示す図である。
【図６】移動機の一実施例を示す機能ブロック図である。
【図７】無線通信システムの動作の一実施例を示すシーケンスチャートである。
【図８】移動機から安否状況を通知する一変形例（その１）を示す図である。
【図９】交換機の一実施例を示す機能ブロック図である。
【発明を実施するための形態】
【００１９】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２０】
＜実施例＞
＜無線通信システム＞
図１は、無線通信システムの一実施例の概要を示す。
【００２１】
本実施例では、発信側のＣＳ網へのアクセスが規制されており、発信側のＰＳ網と、着信側のＰＳ網及びＣＳ網の少なくとも一方へのアクセスは規制されていない。
【００２２】
例えば、輻輳などにより発信側のＣＳ網が規制される。しかし、発信側のＣＳ網が規制されていても、ＰＳ網は使用できる場合が多い。また、セル報知センタ(ＣＢＣ：  Ｃｅｌｌ  Ｂｒｏａｄｃａｓｔ  Ｃｅｎｔｅｒ)などにより報知される規制情報は受信できる。また、セル報知センタから、地震情報や、台風情報が報知されてもよい。本実施例では、一例として、規制情報が報知される場合について説明する。セル報知センタから、地震情報や、台風情報が報知される場合でも、同様の処理が実行されてもよい。
【００２３】
ユーザＡから、ユーザＢに、ユーザＡの位置を通知することを考える。
【００２４】
発信側のＣＳ網が規制される。例えば、輻輳の発生、災害の発生により、発信側のＣＳ網が規制される。
【００２５】
ＣＢＣから、規制情報が送信される（１）。ＣＢＳ（Ｃｅｌｌ  Ｂｒｏａｄｃａｓｔ  Ｓｅｒｖｉｃｅ）方式により規制情報が送信されてもよいし、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）方式により規制情報が送信されてもよい。
【００２６】
該規制情報は、ユーザＡの移動機により受信される。規制情報には、ユーザＡに、該ユーザＡの安否を登録させるための情報（以下、「安否登録情報」という）が含まれる。安否登録情報には、ユーザＡに、該ユーザＡの状況を登録する際にアクセスすべきアドレスが含まれる。具体的には、「安否確認：下記のＵＲＬにアクセスし、安否を登録してください。ｈｔｔｐ：／／ｘｘｘ．ｘｘｘ．ｘｘｘ」などの安否を登録させるための情報が、ユーザＡの移動機に表示される。ユーザＡは、画面に表示されたＵＲＬを選択することにより、ファイルサーバにアクセスできる。ユーザＡがＵＲＬを選択することにより、ユーザＡの移動機からファイルサーバに、発信信号が送信される（２）。該発信信号には、該移動機の識別子と、移動機の位置情報と、移動機１００１のユーザの状態を表す情報とが含まれる。さらに、ユーザＡにより入力されるべきメッセージが含まれるようにしてもよい。以下、移動機１００１の識別子と、移動機１００１の位置情報と、移動機１００１のユーザの状態を表す情報とを含む情報を「安否状況情報」という。安否状況情報には、必要に応じてユーザＡにより入力されるべきメッセージが含まれてもよい。
【００２７】
安否状況情報は、ユーザＡと関連して事前に登録されているユーザに、通知される（３）。ＣＳ網を利用して通知されてもよいし、ＰＳ網を利用して通知されてもよい。例えば、契約情報を参照して家族の端末に通知してもよく、予め発側端末のユーザが指定した端末に通知してもよい。具体的には電子メールにより通知されてもよいし、ショートメッセージサービスを利用して通知されてもよい。電子メール、ショートメッセージサービス以外の手段により通知されてもよい。
【００２８】
ＣＢＳに安否登録情報を含ませることにより、安否を通知したいユーザは、安易な操作で、安否を通知できる。
【００２９】
図２は、無線通信システムの一実施例を示す。
【００３０】
図２には、第１の無線通信システム（添え字「１」により表す）と、第２の無線通信システム（添え字「２」により表す）が示される。第１の無線通信システムにより無線通信を行う移動機１００１から、第２の無線通信システムにより無線通信を行う移動機１００２に、安否状況情報が通知される。第１の無線通信システムの基地局２００１によりカバーされるセル２５０１のＣＳ回線へのアクセスが規制されている。
【００３１】
移動機１００１、１００２は、ユーザが通信することができる適切な如何なるユーザ端末でもよく、例えば、携帯電話、情報端末、パーソナルディジタルアシスタント、携帯用パーソナルコンピュータ等が含まれるが、これらに限定されない。
【００３２】
本無線通信システムは、主に無線アクセス制御を行う無線アクセスネットワーク（ＲＡＮ）（図示なし）と、移動管理、呼制御、サービス制御等を行うコアネットワーク（ＣＮ）６００に分類される。本実施例では、本願に特に関連するコアネットワーク（ＣＮ）６００について主に説明され、無線アクセスネットワークについての説明は省略される。
【００３３】
ＲＡＮには、無線基地局（ＢＴＳ：  Ｂａｓｅ  Ｔｒａｎｓｃｅｉｖｅｒ  Ｓｔａｔｉｏｎ）２００１（２００２）及び無線ネットワーク制御装置（ＲＮＣ：Ｒａｄｉｏ  Ｎｅｔｗｏｒｋ  Ｃｏｎｔｒｏｌｌｅｒ）（図示なし）が含まれる。
【００３４】
ＣＮは、回線交換（ＣＳ：  Ｃｉｒｃｕｉｔ  Ｓｗｉｔｃｈｅｄ）ドメイン、パケット交換（ＰＳ：  Ｐａｃｋｅｔ  Ｓｗｉｔｃｈｅｄ）ドメインから構成される。一般に、ＣＳドメインは音声系サービスを提供し、ＰＳドメインはデータ通信系サービスを提供する。
【００３５】
交換機４００１（４００２）には、ＣＢＣ３００が接続される。ＣＢＣ３００は、主に、発信側、すなわち第１の無線通信システムの基地局２００１によりカバーされるセル２５０１のＣＳ回線のアクセスが規制されている場合に、セル２５０１に、規制情報を送信する。該規制情報には、安否登録情報が含まれる。
【００３６】
交換機４００１（４００２）には、ファイルサーバ５００が接続される。ファイルサーバ５００は、主に、発信側、すなわち第１の無線通信システムの基地局２００１によりカバーされるセル２５０１のＣＳ回線のアクセスが規制されている場合に機能する。ここでは、主に、セルが規制されている場合を一例として説明するが、セル・交換機の両方が規制されている場合、交換機が規制されている場合についても同様である。
【００３７】
該ファイルサーバ５００は、規制情報に含まれるべき安否登録情報に従って、基地局２００１に在圏する移動機１００１によりパケット交換網により発信された安否状況情報を登録する。
【００３８】
交換機４００１には基地局２００１が接続され、交換機４００２には基地局２００２が接続される。
【００３９】
ファイルサーバ５００は、送信側である移動機１００１のユーザと関連づけて事前に登録されているユーザに、安否状況情報を通知する。該安否状況情報は、ファイルサーバ５００から交換機４００２を経由して、ＢＴＳ２００２を介して、移動機１００２に通知される。移動機１００２に、安否状況情報が通知される際には、第２の無線通信システムのＰＳ網が利用されてもよいし、ＣＳ網が利用されてもよい。
【００４０】
移動機１００２は、ファイルサーバ５００からの安否状況情報により、移動機１００１のユーザの安否を知ることができる。
【００４１】
＜ＣＢＣ＞
図３は、ＣＢＣ３００の一実施例を示す。図３には、ＣＢＣ３００の機能のうち、本願に特に関連する部分が記載され、その他の部分については省略される。ＣＢＣ３００は、交換機４００１と、交換機４００２と接続される。
【００４２】
ＣＢＣ３００は、規制情報生成部３０２と、規制情報送信部３０４とを有する。
【００４３】
規制情報生成部３０２は、アクセスが規制されることを表す規制情報を生成する。具体的には、セル報知エンティティ（ＣＢＥ：  Ｃｅｌｌ  Ｂｒｏａｄｃａｓｔ  Ｅｎｔｉｔｙ）（図示なし）からのメッセージ配信要求に従って規制情報を生成してもよい。規制情報には、安否登録情報が含まれる。上述したように、安否登録情報は、移動機１００１のユーザに、該ユーザの安否を登録させるための情報である。安否登録情報には、移動機１００１のユーザに、該ユーザの状況を登録する際にアクセスすべきアドレスが含まれる。具体的には、該アドレスとしてＵＲＬが利用される場合には、安否登録情報は、「安否確認：下記のＵＲＬにアクセスし、安否を登録してください。ｈｔｔｐ：／／ｘｘｘ．ｘｘｘ．ｘｘｘ」などの安否を登録させるための情報である。該アドレスはＵＲＬに限らず他のアドレスを利用してもよい。
【００４４】
また、安否登録情報に複数のアドレスが含まれるようにしてもよい。具体的には、無事なことを通知したい場合に選択されるべきＵＲＬ、体調をくずしていることを通知したい場合に選択されるべきＵＲＬ、連絡を取りたいことを通知したい場合に選択されるべきＵＲＬが含まれてもよい。移動機１００１のユーザは、画面に表示されたＵＲＬを選択することにより、ファイルサーバ５００にアクセスできる。ユーザＡがＵＲＬを選択することにより、移動機１００１は該ＵＲＬにアクセスする。移動機１００１が該ＵＲＬにアクセスする際に、該移動機１００１からファイルサーバ５００に、安否状況情報が送信される。ＣＢＥは、気象庁、地方自治体などが有していてもよい。規制情報生成部３０２は、規制情報送信部３０４に、規制情報を入力する。
【００４５】
規制情報送信部３０４は、規制情報を配信すべきエリアに、規制情報生成部３０２により入力されるべき規制情報を送信する。本実施例では、セル２５０１に、規制情報が報知される。
【００４６】
＜ファイルサーバ＞
図４は、ファイルサーバ５００の一実施例を示す。図４には、ファイルサーバ５００の機能のうち、本願に特に関連する部分が記載され、その他の部分については省略される。
【００４７】
ファイルサーバ５００は、受信部５０２と、安否状況情報解析部５０４と、安否状況メッセージ作成部５０６と、宛先設定部５０８と、送信部５１０とを有する。
【００４８】
受信部５０２は、移動機１００１からの安否状況情報を受信する。受信部５０２は、安否状況情報解析部５０４に、該安否状況情報を入力する。具体的には、移動機１００１からの安否状況情報は、基地局２００１、交換機４００１を介して、ファイルサーバ５００に送信される。
【００４９】
安否状況情報解析部５０４は、受信部５０２と接続される。安否状況情報解析部５０４は、受信部５０２により入力されるべき安否状況情報を解析する。具体的には、安否状況情報から、移動機１００１の識別子と、移動機１００１の位置情報と、移動機１００１のユーザの状態を表す情報とを抽出する。該ユーザの状態を表す情報は、ユーザにより選択されたＵＲＬに対応するものであってもよい。安否状況情報解析部５０４は、移動機１００１の位置情報と、移動機１００１のユーザの状態を表す情報とを安否状況メッセージ作成部５０６に入力する。安否状況情報解析部５０４は、移動機１００１の識別子を宛先設定部５０８に入力する。さらに、安否状況情報解析部５０４は、安否状況情報にメッセージが含まれる場合に、安否状況メッセージ作成部５０６に、該メッセージを入力する。
【００５０】
安否状況メッセージ作成部５０６は、安否状況情報解析部５０４と接続される。安否状況メッセージ作成部５０６は、安否状況情報解析部５０４により入力されるべき移動機１００１の位置情報と、移動機１００１のユーザの状態を表す情報とを含む安否状況メッセージを作成する。さらに、安否状況メッセージ作成部５０６は、安否状況情報解析部５０４からメッセージが入力された場合には、安否状況メッセージに、該メッセージを含める。安否状況メッセージ作成部５０６は、送信部５１０に、安否状況メッセージを入力する。
【００５１】
宛先設定部５０８は、安否状況情報解析部５０４と接続される。宛先設定部５０８は、安否状況情報解析部５０４により入力されるべき、移動機１００１の識別子に基づいて、安否状況メッセージを通知すべきユーザを設定する。具体的には、移動機の識別子と、該移動機からの安否状況メッセージを通知すべき移動機の識別子とを対応付けたテーブル（以下、「安否状況メッセージ通知移動機選択テーブル」という）を有するようにしてもよい。
【００５２】
図５は、安否状況メッセージ通知移動機選択テーブルの一実施例を示す。
【００５３】
図５には、移動機の識別子と、該移動機からの安否状況メッセージを通知すべき移動機の識別子とが対応付けられる。該移動機からの安否状況メッセージを通知すべき移動機は１に限らず複数であってもよい。図５には、一例として２の場合も示される。３以上であってもよい。移動機からの安否状況メッセージを通知すべき移動機として、ＳＭＳメッセージの宛先が設定される場合には、事前に登録された家族の移動機のように、発側の移動機１００１と家族間の契約を締結している端末でもよい。この場合、宛先の情報は、家族間の契約情報から生成されてもよい。また、ＳＭＳメッセージの宛先が設定される場合は、発側の移動機１００１により指定された端末でもよい。
【００５４】
図５に示される例では、識別子が「ＡＡＡ」により表される移動機からの安否状況メッセージを通知すべき移動機として、識別子が「ＣＣＣ」により表される移動機が示される。また、識別子が「ＢＢＢ」により表される移動機からの安否状況メッセージを通知すべき移動機として、識別子が「ＤＤＤ」により表される移動機と、識別子が「ＥＥＥ」により表される移動機が示される。移動機からの安否状況メッセージを通知すべき移動機の識別子と、電話番号、固定電話の電話番号、電子メールアドレスとが対応付けられてもよい。
【００５５】
宛先設定部５０８は、送信部５１０に、安否状況メッセージを通知すべき移動機として選択した移動機の識別子を入力する。安否状況メッセージを通知すべき移動機として選択した移動機の電子メールアドレスが入力されてもよいし、電話番号が入力されてもよいし、固定電話の電話番号でもよい。また、特番ダイヤル時の着側の指定はファイルサーバ５００または交換機４００１より送出されるガイダンスに従い着番号を入力してもよい。
【００５６】
送信部５１０は、安否状況メッセージ作成部５０６、及び宛先設定部５０８と接続される。送信部５１０は、宛先設定部５０８により入力されるべき、安否状況メッセージを通知すべき移動機として選択された移動機に、安否状況メッセージ作成部５０６により入力されるべき安否状況メッセージを送信する。送信部５１０は、安否状況メッセージの宛先として、安否状況メッセージを通知すべき移動機として選択された移動機の電話番号（ＣＳ回線を利用した電話番号）を指定してもよい。安否状況メッセージはショートメッセージサービス（ＳＭＳ：  Ｓｈｏｒｔ  Ｍｅｓｓａｇｅ  Ｓｅｒｖｉｃｅ）の利用できる形式で作成されてもよい。又は、送信部５１０は、安否状況メッセージの宛先として、ユーザ端末１００２の電子メールのアドレスを指定してもよい。移動機の識別子と、電子メールのアドレスとが関連づけられている場合に、電子メールアドレスが指定される。具体的には、移動機１００１のアドレス帳から、宛先の電話番号に関連づけられた電子メールのアドレスが取得されてもよい。
【００５７】
＜移動機＞
図６は、移動機１００１の一実施例を示す。
【００５８】
移動機１００１は、受信部１０２と、安否状況情報作成部１０４と、送信部１０６と、位置情報取得部１０８とを有する。
【００５９】
受信部１０２は、ＣＢＣ３００からの規制情報を受信する。ＣＢＣ３００からの規制情報は、表示部（図示なし）に表示される。受信部１０２は、安否状況情報作成部１０２、及び位置情報取得部１０８に、規制情報が通知されたことを通知する。
【００６０】
安否状況情報作成部１０４は、受信部１０２と接続される。安否状況情報作成部１０４は、規制情報を参照したユーザによりＵＲＬが選択された際に入力されるべき操作情報に従って、安否状況情報を作成する。安否状況情報には、移動機１００１の識別子と、移動機１００１の位置情報と、移動機１００１のユーザの状態を表す情報とが含まれる。移動機１００１の位置情報は、位置情報取得部１０８から入力される。安否状況情報に、必要に応じて移動機１００１のユーザにより入力されるべきメッセージが含まれてもよい。
【００６１】
また、ユーザによりメッセージが入力された場合に、該安否状況情報には、メッセージが含まれる。安否状況情報作成部１０４は、送信部１０６に、安否状況情報を入力する。
【００６２】
送信部１０４は、安否状況情報作成部１０４と接続される。送信部１０４は、安否状況情報作成部１０４により入力されるべき安否状況情報をファイルサーバ５００に送信する。該安否状況情報は、移動機１００１の在圏する基地局２００１から、交換機４００１を介して、ファイルサーバ５００に送信される。
【００６３】
位置情報取得部１０８は、受信部１０２、及び安否状況情報作成部１０４と接続される。位置情報取得部１０８は、移動機１００１の位置情報を取得する。位置情報取得部１０８は、移動機１００１に実装されたＧＰＳにより取得された位置情報を取得してもよい。また、位置情報取得部１０８は、基地局２００１などの位置に基づいて取得された位置情報を取得してもよい。また、位置情報取得部１０８は、移動機１００１が無線ＬＡＮによる無線通信が可能である場合には、アクセスポイント（図示なし）の位置に基づいて取得された位置情報を取得してもよい。さらに、位置情報取得部１０８は、以上の測位技術のうちの少なくとも２つを組み合わせて取得された位置情報を取得してもよい。位置情報取得部１０８は、安否状況情報作成部１０４に、位置情報を入力する。
【００６４】
＜無線通信システムの動作＞
図７は、無線通信システムの動作の一実施例を示す。
【００６５】
ＣＢＣ３００から、移動機１００１の属するセルに、規制情報が報知される（ステップＳ７０２）。該規制情報には、安否登録情報が含まれる。
【００６６】
移動機１００１は、ＣＢＣ３００からの規制情報をユーザに提示する。ユーザが提示された規制情報に従って所定の操作を行うことにより安否状況情報が作成される。例えば、安否状況情報には、移動機１００１の識別子と、移動機１００１の位置情報と、移動機１００１のユーザの状態を表す情報とが含まれる。
【００６７】
移動機１００１から、ファイルサーバ５００に、安否状況情報が送信される（ステップＳ７０４）。安否状況情報は、ＰＳ網を利用して送信される。
【００６８】
ファイルサーバ５００は、移動機１００１からの安否状況情報を解析する（ステップＳ７０６）。
【００６９】
ファイルサーバ５００は、安否状況情報の解析結果に基づいて、安否状況メッセージを作成する（ステップＳ７０８）。該安否状況メッセージには、移動機１００１の位置情報と、移動機１００１のユーザの状態を表す情報とが含まれる。さらに、移動機１００１のユーザにより入力されるべきメッセージが含まれてもよい。
【００７０】
ファイルサーバ５００は、移動機１００２に、安否状況メッセージを送信する（ステップＳ７１０）。安否状況メッセージは、電子メールで送信されてもよいし、ＳＭＳを利用して送信されてもよいし、固定電話を利用して通知されてもよい。
【００７１】
安否状況メッセージを受信したユーザは、移動機１００１のユーザの安否を知ることができる。
【００７２】
上述した実施例は、３以上の無線通信システムが混在した場合でも適用できる。
【００７３】
＜変形例（その１）＞
移動機１００１からファイルサーバ５００に、安否状況情報を通知する方法は、上述した方法に限られない。
【００７４】
図８は、移動機１００１からファイルサーバ５００に、安否状況情報を通知する方法の一変形例を示す。
【００７５】
図８に示される例では、ファイルサーバ５００と接続されたＩＣリーダを用意し、該ＩＣリーダと移動機１００１との間で通信が行われた際に、該ＩＣリーダからファイルサーバ５００に、上述した安否状況情報に相当する情報が通知される。具体的には、移動機１００１に実装されたＩＣと、ＩＣリーダとの間で近距離無線通信技術により無線通信が行われる。具体的には、移動機１００１に、無線チップ、ＲＦＩＤタグが実装されてもよい。具体的には、ＩＣリーダに、移動機１００１を接触させた場合に、安否状況情報に相当する情報が通知される。複数のＩＣリーダが用意されてもよい。複数のＩＣリーダが用意される場合に、ＩＣリーダにより通知されるべき情報が異なるようにしてもよい。例えば、無事なことを通知したい場合に接触させるＩＣリーダ、体調をくずしていることを通知したい場合に接触させるＩＣリーダ、連絡を取りたいことを通知したい場合に接触させるＩＣリーダが含まれてもよい。
【００７６】
ＩＣリーダからファイルサーバ５００に、上述した安否状況情報に相当する情報が通知されることにより、移動機１００１の電池がなくなった場合でも、安否状況を通知できる。
【００７７】
＜変形例（その２）＞
移動機１００１からファイルサーバ５００に、安否状況情報を通知する方法は、上述した方法に限られない。
【００７８】
交換機４００１は、ＣＳ網が規制されている場合に、移動機１００１からＣＳ網を利用した発信があった場合に、接続先をファイルサーバ５００に切替えるようにしてもよい。
【００７９】
図９は、交換機４００１の一実施例を示す。交換機４００２についても同様である。図９には、交換機４００１の機能のうち、本願に特に関連する部分が記載され、その他の部分については省略される。交換機４００１は、基地局２００１と、ＣＢＣ３００と、ファイルサーバ５００と接続される。交換機４００２は、基地局２００２と、ＣＢＣ３００と、ファイルサーバ５００と接続される。
【００８０】
交換機４００１は、接続処理部４０２１と、接続先切替部４０４１と、発信履歴通知部４０６１とを有する。
【００８１】
接続処理部４０２１は、移動機１００１からの発呼に従って、接続先である移動機１００２に接続要求を行う。具体的には、交換機４０２１は、交換機４００２に対して、移動機１００２への接続要求を行う。
【００８２】
接続処理部４０２１は、移動機１００１が在圏するセルのＣＳ回線へのアクセスが規制されている場合、接続できないことを表す信号を、接続先切替部４０４１に入力する。
【００８３】
接続先切替部４０４１は、接続処理部４０２１と接続される。接続先切替部４０４１は、接続処理部４０２１から接続できないことを表す信号が入力されると、ファイルサーバ５００に、移動機１００１の接続先を切替える。
【００８４】
発信履歴通知部４０６１は、接続先切替部４０４１と接続される。発信履歴通知部４０６１は、ファイルサーバ５００に、発信履歴を表す情報を通知する。具体的には、発信履歴を表す情報には、発番号を表す情報と、発信された時間を表す情報とが含まれる。
【００８５】
該発信履歴を表す情報は、ファイルサーバ５００において、上述した安否状況情報と同様に処理される。
【００８６】
ＣＳ回線が規制されているセルに在圏する移動機１００１からＣＳ回線による発信があった場合に、該発信の接続先をファイルサーバ５００とすることにより、発信情報を安否情報として通知できる。
【００８７】
＜変形例（その３）＞
移動機１００１からファイルサーバ５００に、安否状況情報を通知する方法は、上述した方法に限られない。
【００８８】
交換機４００１は、移動機１００１が位置登録した際に、該位置登録がされたことを表す情報をファイルサーバ５００に通知するようにしてもよい。
【００８９】
該位置登録がされたことを表す情報は、ファイルサーバ５００において、上述した安否状況情報と同様に処理される。
【００９０】
移動機１００１が位置登録されたことを表す情報をファイルサーバ５００に蓄積することにより、ユーザに意識させることなく、位置登録されたことを表す情報を安否情報として通知できる。
【００９１】
また、発側の移動機１００１は、災害用伝言ダイヤル等の特番にダイヤルしてファイルサーバ５００に音声メッセージを録音してもよい。ファイルサーバ５００は、音声メッセージを記憶装置に格納すると、その格納場所を予め指定された宛先の移動機に通知する。例えば、契約情報を参照して家族の端末に通知してもよく、予め発側端末のユーザが指定した端末に通知してもよい。
【００９２】
上述した実施例、変形例において、警察署や消防署に、安否状況メッセージの宛先を設定してもよい。警察署や消防署に安否状況メッセージの宛先を設定することにより、災害に遭っているユーザが通報する際に利用できる。
【００９３】
本実施例によれば、発信側のＣＳ網へのアクセスが規制されている場合でも、発信側の移動機は、他の移動機に、現在位置と安否状況とを通知できる。この場合、移動機の設計変更は必要ない。
【００９４】
説明の便宜上、発明の理解を促すため具体的な数値例を用いて説明されるが、特に断りのない限り、それらの数値は単なる一例に過ぎず適切な如何なる値が使用されてよい。
【００９５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００９６】
１００１、１００２  移動機
１０２  受信部
１０４  安否状況情報作成部
１０６  送信部
２００１、２００２  基地局
２５０１、２５０２  セル
３００  ＣＢＣ
３０２  規制情報生成部
３０４  規制情報送信部
４００１、４００２  交換機
４０２１  接続処理部
４０４１  接続先切替部
４０６１  発信履歴通知部
５００  ファイルサーバ
５０２  受信部
５０４  安否状況情報解析部
５０６  安否状況メッセージ作成部
５０８  宛先設定部
５１０  送信部
６００  コアネットワーク
【図１】
2013005282.tif 000003
【図２】
2013005282.tif 000004
【図３】
2013005282.tif 000005
【図４】
2013005282.tif 000006
【図５】
2013005282.tif 000007
【図６】
2013005282.tif 000008
【図７】
2013005282.tif 000009
【図８】
2013005282.tif 000010
【図９】
2013005282.tif 000011